(57)【要約】【課題】プロフィル群に横方向の荷重が加わった際の各プロフィル相互間のずれを抑制し、各プロフィルの傾倒を抑制して、搬送物品に対して適切な押し出し力を作用させることができるようにする。【解決手段】ベルト本体10の背面10cに、該ベルト本体10の長さ方向に沿って隣り合うように複数のプロフィル1,2を各々独立して設け、該複数のプロフィル1,2によって一群のプロフィル群Pを構成してなるプロフィル付きベルトBLにおいて、プロフィル群P内のプロフィル1,2の各々は、当該プロフィル群P内の他のプロフィル2,1に対し、それぞれ背面10cに対して垂直な方向と交差する方向から互いに当接する、又は、それぞれ背面10cに対して垂直な方向と交差する方向から対向するように近接し、プロフィル群Pに対して横方向の荷重が加わった際に互いに当接する、少なくとも１つの当接部1a,22aを有する。【選択図】図２
2014234283.tif 000002
【特許請求の範囲】
【請求項１】
ベルト本体の背面に、該ベルト本体の長さ方向に沿って隣り合うように複数のプロフィルを各々独立して設け、該複数のプロフィルによって一群のプロフィル群を構成してなるプロフィル付きベルトにおいて、
前記プロフィル群内の前記プロフィルの各々は、当該プロフィル群内の他の前記プロフィルに対し、それぞれ前記背面に対して垂直な方向と交差する方向から互いに当接する、又は、それぞれ前記背面に対して垂直な方向と交差する方向から対向するように近接し、前記プロフィル群に対して横方向の荷重が加わった際に互いに当接する、少なくとも１つの当接部を有していることを特徴とするプロフィル付きベルト。
【請求項２】
前記当接部は、点状、線状又は面状に形成されていることを特徴とする請求項１記載のプロフィル付きベルト。
【請求項３】
前記プロフィル群内のいずれか１つの前記プロフィルは、当該プロフィル群内の他の少なくとも１つの前記プロフィルの上面に覆い被さるように突出する少なくとも１つの突出部を有し、
前記当接部は、前記突出部の下面と、前記他の少なくとも１つの前記プロフィルの上面とによって形成されていることを特徴とする請求項１又は２記載のプロフィル付きベルト。
【請求項４】
前記プロフィル群内の隣り合う前記プロフィルのうちの一方の前記プロフィルの側面に凹部が形成され、他方の前記プロフィルの側面に、前記凹部内に収納される凸部が形成され、
前記当接部は、前記凹部の内面の前記背面に対して垂直な方向と交差する少なくとも１つの面と、前記凸部の表面の前記背面に対して垂直な方向と交差する少なくとも１つの面とによって形成されていることを特徴とする請求項１又は２記載のプロフィル付きベルト。
【請求項５】
前記プロフィル群内の隣り合う前記プロフィルのうちの一方のプロフィルの側面に、高さ方向に沿って山部及び谷部が交互に連続して形成され、他方のプロフィルの側面に、高さ方向に沿って谷部及び山部が交互に連続して形成され、
前記当接部は、前記一方のプロフィルの前記山部又は前記谷部の表面と、前記他方のプロフィルの前記谷部又は前記山部の表面とによって形成されていることを特徴とする請求項１又は２記載のプロフィル付きベルト。
【請求項６】
請求項１〜５のいずれかに記載のプロフィル付きベルトをプーリー間に架け渡してなることを特徴とするベルト搬送装置。
【発明の詳細な説明】
【技術分野】
【０００１】
本発明はプロフィル付きベルト及びベルト搬送装置に関し、詳しくは、ベルト本体の背面に複数のプロフィルからなるプロフィル群を有するプロフィル付きベルト及びこれを使用したベルト搬送装置に関する。
【背景技術】
【０００２】
板状物や棒状物等の搬送物品を搬送する搬送装置として、ベルト本体の背面に、プロフィルを設けたプロフィル付きベルトをプーリー間に架け渡したベルト搬送装置が知られている。このベルト搬送装置は、プーリーを回転させることによってプロフィル付きベルトを回転駆動させ、このベルト上に載置された搬送物品を搬送する。
【０００３】
プロフィルは、突起、アタッチメント等とも呼ばれ、通常、ベルト本体の背面から突出するように、熱融着、接着、ねじ止め等によって取り付けられている。プロフィル付きベルトは、その上に載置される搬送物品をプロフィルによって押しながら搬送する。
【０００４】
このようなプロフィル付きベルトでは、プロフィルの取付け幅（ベルト本体の長さ方向に沿う幅）を狭くし、ベルト本来の柔軟性を阻害しないようにする必要がある。しかし、その一方で、プロフィルには搬送物による負荷や衝撃力が繰り返し作用し、根元部に大きな負荷が掛かって剥離し易いため、プロフィルの取付け面積を大きくすることが望まれる。このため、従来のプロフィル付きベルトは、ベルト本来の柔軟性の確保とプロフィルの取付け面積の増大化という相反する課題を同時に解決しなくてはならない問題がある。
【０００５】
この対応策として、図１８に示すように、プロフィル１００の側面１００ａからベルト本体２００の長さ方向に突出する倒れ止め用の脚部１０１を一体に設けたものがある。しかし、このようなプロフィル１００でも、根元部の強度を超える荷重が加わった場合、当該根元部が破損する問題があり、上記問題を解決するには十分ではなかった。
【０００６】
そこで、従来、図１９（ａ）に一例を示すように、ベルト本体２００の長さ方向に沿って複数のプロフィル１０２、１０３を各々独立して隣り合うように設け、これによって一群のプロフィル群１０４を構成したプロフィル付きベルトが提案されている（特許文献１〜３）。
【０００７】
このプロフィル付きベルトによれば、プロフィル群１０４に対して横方向からの荷重が加わった際、隣り合うプロフィル１０２、１０３の側面同士が密着して支え合うことによって、プロフィル群１０４があたかも１つの大型のプロフィルとして機能するので、各プロフィル１０２、１０３の取付け面積を大きくしなくても、各プロフィル１０２、１０３単独で荷重を受ける場合に比べて、負荷や衝撃力に対する抵抗力を大きくすることができる。
【０００８】
また、プロフィル群１０４内の各プロフィル１０２、１０３は、それぞれ独立してベルト本体２００に取り付けられるため、図１９（ｂ）に示すように、ベルトがプーリーに巻き付けられて湾曲した際、その曲率に応じて各プロフィル１０２、１０３の先端側が互いに離間し、ベルト本来の柔軟性を阻害することもない。
【先行技術文献】
【特許文献】
【０００９】
【特許文献１】実開平４−７５１７号の全文明細書、図１〜図３
【特許文献２】実開平４−１１２８１５号の全文明細書、図１〜図５、図７
【特許文献３】特開２００８−２３０８５２号公報、図１〜図３
【発明の概要】
【発明が解決しようとする課題】
【００１０】
一般にプロフィル１０２、１０３は弾性材によって形成されているため、搬送物品と当接することによって、図２０に示すように、プロフィル群１０４に横方向の荷重Ｆが加わった場合、まず荷重Ｆが直接作用するプロフィル１０２が撓み変形して、隣接するプロフィル１０３にもたれ掛るように傾倒する。このときプロフィル１０２、１０３は、その側面同士が密着して傾倒を阻止し、屈曲して撓むことのないように立設状態を維持するようにしている。しかし、側面同士の密着力を超える荷重Ｆが加わると、プロフィル１０２、１０３の側面同士が矢印で示すように相対的に反対方向にずれるように移動し、その結果、全体として荷重Ｆの方向に沿って傾倒してしまう問題がある。特にプロフィル１０２、１０３が背高に形成され、横方向の荷重Ｆが作用する位置が背面から高くなる程、このような傾倒の問題が顕著となる。
【００１１】
プロフィル群１０４の各プロフィル１０２、１０３が全体で傾倒してしまうと、プロフィル群１０４によって搬送物品を支持する機能が劣り、搬送物品に対して適切な押し出し力を作用させることができなくなる問題がある。過度の傾倒が繰り返されると、各プロフィル１０２、１０３の根元部が破損し易くなる問題もある。
【００１２】
そこで、本発明は、プロフィル群に横方向の荷重が加わった際の各プロフィル相互間のずれを抑制し、各プロフィルの傾倒を抑制して、搬送物品に対して適切な押し出し力を作用させることができるプロフィル付きベルトを提供することを課題とする。
【００１３】
また、本発明は、プロフィル群に横方向の荷重が加わった際の各プロフィル相互間のずれを抑制し、各プロフィルの傾倒を抑制して、搬送物品に対して適切な押し出し力を作用させることができるプロフィル付きベルトを有するベルト搬送装置を提供することを課題とする。
【００１４】
本発明の他の課題は、以下の記載により明らかとなる。
【課題を解決するための手段】
【００１５】
上記課題は、以下の各発明によって解決される。
【００１６】
１．ベルト本体の背面に、該ベルト本体の長さ方向に沿って隣り合うように複数のプロフィルを各々独立して設け、該複数のプロフィルによって一群のプロフィル群を構成してなるプロフィル付きベルトにおいて、
前記プロフィル群内の前記プロフィルの各々は、当該プロフィル群内の他の前記プロフィルに対し、それぞれ前記背面に対して垂直な方向と交差する方向から互いに当接する、又は、それぞれ前記背面に対して垂直な方向と交差する方向から対向するように近接し、前記プロフィル群に対して横方向の荷重が加わった際に互いに当接する、少なくとも１つの当接部を有していることを特徴とするプロフィル付きベルト。
【００１７】
２．前記当接部は、点状、線状又は面状に形成されていることを特徴とする前記１記載のプロフィル付きベルト。
【００１８】
３．前記プロフィル群内のいずれか１つの前記プロフィルは、当該プロフィル群内の他の少なくとも１つの前記プロフィルの上面に覆い被さるように突出する少なくとも１つの突出部を有し、
前記当接部は、前記突出部の下面と、前記他の少なくとも１つの前記プロフィルの上面とによって形成されていることを特徴とする前記１又は２記載のプロフィル付きベルト。
【００１９】
４．前記プロフィル群内の隣り合う前記プロフィルのうちの一方の前記プロフィルの側面に凹部が形成され、他方の前記プロフィルの側面に、前記凹部内に収納される凸部が形成され、
前記当接部は、前記凹部の内面の前記背面に対して垂直な方向と交差する少なくとも１つの面と、前記凸部の表面の前記背面に対して垂直な方向と交差する少なくとも１つの面とによって形成されていることを特徴とする前記１又は２記載のプロフィル付きベルト。
【００２０】
５．前記プロフィル群内の隣り合う前記プロフィルのうちの一方のプロフィルの側面に、高さ方向に沿って山部及び谷部が交互に連続して形成され、他方のプロフィルの側面に、高さ方向に沿って谷部及び山部が交互に連続して形成され、
前記当接部は、前記一方のプロフィルの前記山部又は前記谷部の表面と、前記他方のプロフィルの前記谷部又は前記山部の表面とによって形成されていることを特徴とする前記１又は２記載のプロフィル付きベルト。
【００２１】
６．前記１〜５のいずれかに記載のプロフィル付きベルトをプーリー間に架け渡してなることを特徴とするベルト搬送装置。
【発明の効果】
【００２２】
本発明によれば、プロフィル群に横方向の荷重が加わった際の各プロフィル相互間のずれを抑制し、各プロフィルの傾倒を抑制して、搬送物品に対して適切な押し出し力を作用させることができるプロフィル付きベルトを提供することができる。
【００２３】
また、本発明によれば、プロフィル群に横方向の荷重が加わった際の各プロフィル相互間のずれを抑制し、各プロフィルの傾倒を抑制して、搬送物品に対して適切な押し出し力を作用させることができるプロフィル付きベルトを有するベルト搬送装置を提供することができる。
【図面の簡単な説明】
【００２４】
【図１】本発明に係るプロフィル付きベルトの一例を示す斜視図
【図２】図１に示すプロフィル付きベルトの１つのプロフィル群の設置部位を示す側面図
【図３】図１に示すプロフィル付きベルトが屈曲した際の様子を示す側面図
【図４】プロフィル群の他の態様を示す側面図
【図５】プロフィル群の更に他の態様を示す側面図
【図６】プロフィル群の更に他の態様を示す側面図
【図７】プロフィル群の更に他の態様を示す側面図
【図８】プロフィル群の更に他の態様を示す側面図
【図９】プロフィル群の更に他の態様を示す側面図
【図１０】プロフィル群の更に他の態様を示す側面図
【図１１】プロフィル群の更に他の態様を示す側面図
【図１２】プロフィル群の更に他の態様を示す側面図
【図１３】本発明に係るプロフィル付きベルトを使用したベルト搬送装置の一例を示す斜視図
【図１４】点状又は線状に接触する当接部を説明するプロフィル群の設置部位を示す側面図
【図１５】実施例を説明するグラフ
【図１６】実施例を説明するグラフ
【図１７】実施例を説明するグラフ
【図１８】従来のプロフィル付きベルトの１つのプロフィルの設置部位を示す側面図
【図１９】（ａ）は従来のプロフィル付きベルトの１つのプロフィル群の設置部位を示す側面図、（ｂ）はプロフィル付きベルトが屈曲した際の１つのプロフィル群の設置部位を示す側面図
【図２０】図１９に示すプロフィル付きベルトに横方向の荷重が加わった状態を説明する側面図
【発明を実施するための形態】
【００２５】
以下、本発明の実施の形態について詳細に説明する。
【００２６】
図１は、本発明に係るプロフィル付きベルトの一例を示す斜視図、図２は、図１に示すプロフィル付きベルトの１つのプロフィル群の設置部位を示す側面図である。
【００２７】
プロフィル付きベルトＢＬは、所定幅のベルト本体１０の一方の面に、ベルト長さ方向に沿って等間隔で一体に突設された複数の歯部１０ａを有する歯付きベルトによって構成されている。
【００２８】
ベルト本体１０は、この種のベルトに一般に使用される弾性材を用いて形成することができる。弾性材としてはウレタン樹脂を好ましく使用することができる。
【００２９】
ベルト本体１０内には、複数本の心線１０ｂが埋設されている。各心線１０ｂは、ベルト長さ方向に沿って延び、互いに平行で等間隔となるように並列している。各心線１０ｂは、一般に撚線からなり、スチールやステンレス等の金属線の他、アラミド繊維、ガラス繊維、炭素繊維、ポリエステル繊維等の化学繊維を使用することができる。
【００３０】
ベルト本体１０の歯部１０ａが突設された面とは反対側の面である背面１０ｃに、プロフィル群Ｐが突出するように形成されている。図１及び図２では１つのプロフィル群Ｐのみを示しているが、一般にプロフィル群Ｐは、ベルト本体１０の長さ方向に沿って、所定の間隔をおいて背面１０ｃに複数形成される。
【００３１】
プロフィル群Ｐは、第１のプロフィル１と第２のプロフィル２の２つのプロフィルによって構成されている。第１のプロフィル１と第２のプロフィル２は、ベルト本体１０の長さ方向に沿って隣り合っているが、互いに分離可能となるように、各々独立して背面１０ｃから突出するように形成されている。
【００３２】
第１のプロフィル１と第２のプロフィル２は、いずれもウレタン樹脂等の弾性材によって形成され、それぞれの根元部１１、２１が背面１０ｃに取り付けられている。各プロフィル１、２の取り付けは、ここでは熱融着によって行われる態様を示している。しかし、接着剤を用いた接着やねじ止め等によって行うようにしてもよい。
【００３３】
第１のプロフィル１と第２のプロフィル２の融着部位は、それぞれ歯部１０ａの突設部位と正反対に位置している。各根元部１１、２１は、ここでは側面視で幅狭状となっており、ベルト長さ方向に沿う融着幅Ｗ１が、歯部１０ａの最大幅Ｗ２の領域内に納まり、なお且つ、第１のプロフィル１及び第２のプロフィル２のそれぞれの厚みＤ２、Ｄ３（ベルト本体１０の長さ方向に沿う厚み）よりも小さくなるように形成することで、背面１０ｃとの融着領域を小さくし、ベルト本体１０の柔軟性を極力阻害しないようにしたものを例示している。しかし、融着幅Ｗ１は、使用されるプーリー歯数に応じて適宜設定することができ、例えば、歯部１０ａの最大幅Ｗ２よりも大きくしたり、歯部１０ａのピッチより大きくしたりしてもよい。また、隣接する歯部１０ａ、１０ａ間に対応する背面１０ｃに形成してもよい。
【００３４】
第１のプロフィル１と第２のプロフィル２は、それぞれ背面１０ｃに対して垂直な方向と交差する方向から互いに当接可能な当接部を形成するため、互いに形状が異なっている。すなわち、第１のプロフィル１は、根元部１１から一定厚みで真っ直ぐ上方に延びる平板状又は直方体状に形成されている。一方、第２のプロフィル２は、第１のプロフィル１と同様に、根元部２１から一定厚みで真っ直ぐ上方に延びているが、第１のプロフィル１の高さよりも更に上方まで延び、上端が第１のプロフィル１側に向けて直角に屈曲するように突出した突出部２２を一体に有している。これにより、第２のプロフィル２は、図２に示すように、側面視で倒Ｌ字状に形成されている。突出部２２は、第１のプロフィル１の上面１ａに覆い被さり、該上面１ａの全体を被覆するように形成されている。
【００３５】
第１のプロフィル１、第２のプロフィル２は、ベルト本体１０が不図示のプーリーに巻き付けられていない直線状で、且つ、搬送物品等による荷重が加えられていない無負荷状態にあるときに、互いに対向し、非接触で近接しているか、又は、互いに接触するように配置されている。このとき、第１のプロフィル１の上面１ａと、第２のプロフィル２の突出部２２の下面２２ａとは、いずれも背面１０ｃに対して垂直な方向と交差する面として配置されている。従って、第１のプロフィル１の上面１ａと、第２のプロフィル２の突出部２２の下面２２ａは、それぞれ背面１０ｃに対して垂直な方向と交差する方向から互いに対向し、非接触で近接しているか、又は、それぞれ背面１０ｃに対して垂直な方向と交差する方向から互いに常時当接している。
【００３６】
次に、このようなプロフィル群Ｐに対して搬送物品による荷重が加わった場合の作用について説明する。
【００３７】
図２に示すように、ベルト本体１０の長さ方向に沿って横方向から荷重Ｆが加わると、第１のプロフィル１、第２のプロフィル２が共に、各々の根元部１１、２１を支点として荷重Ｆの方向に沿って傾倒しようとする。このとき、第１のプロフィル１と第２のプロフィル２は、図２０に示したように、対向する側面同士が互いに反対方向にずれるように動こうとする力が働く。
【００３８】
しかし、第１のプロフィル１の上面１ａと第２のプロフィル２の突出部２２の下面２２ａは、背面１０ｃに対して垂直な方向と交差する面として互いに対向し、近接又は接触しているため、第２のプロフィル２が荷重Ｆを受けて傾倒しようとする力が、該上面１ａと該下面２２ａとの当接によって、上面１ａを背面１０ｃに向けて押圧する力に変換され、傾倒を抑制するように働く。このとき、第１のプロフィル１の上面１ａと第２のプロフィル２の突出部２２の下面２２ａとは、互いに面状に当接して傾倒を抑制する当接部として機能している。
【００３９】
その結果、第１のプロフィル１と第２のプロフィル２の相互間のずれが抑制され、共に傾倒しようとする動きが抑えられることにより、プロフィル群Ｐ全体の傾倒が抑制される。これにより、プロフィル群Ｐが搬送物品と接触した際に、プロフィル群Ｐが全体として屈曲し撓んでしまうことがなく、搬送物品に対して適切な押し出し力を作用させることができるようになる。
【００４０】
第１のプロフィル１及び第２のプロフィル２は、各々独立して背面１０ｃから突出するように形成されているため、このプロフィル付きベルトＢＬが不図示のプーリーに巻き付けられて湾曲した際、図３に示すように、曲率に応じて先端側が互いに離間することができる。このため、ベルト本来の柔軟性を阻害することはない。
【００４１】
このような先端側の離間動作を円滑に行えるようにするため、第１のプロフィル１の上面１ａにおける第２のプロフィル２側の角部に位置する部位に、面取り部１ｂを形成しておくことが好ましい。面取り部１ｂに代えて角部を円弧状に丸めたアール（Ｒ）を形成してもよい。
【００４２】
第１のプロフィル１及び第２のプロフィル２の傾倒を効果的に抑制するためには、互いの当接面である第１のプロフィル１の上面１ａと、第２のプロフィル２の突出部２２の下面２２ａは、ベルト本体１０の背面１０ｃに対して垂直な方向と交差する方向から当接するように形成されている必要がある。ここでは、これら上面１ａと下面２２ａは、背面１０ｃと平行な面として形成された態様を示している。しかし、ベルト本体１０の背面１０ｃに対して垂直な方向と交差する方向から互いに当接することによって第１のプロフィル１と第２のプロフィル２の相互間のずれが抑制でき、なお且つ、プーリーに巻き付けられた際に先端側が円滑に離間できるものであれば、僅かに傾斜する傾斜面、又は、不図示のプーリーの回転軸を中心とする円弧面として形成してもよい。
【００４３】
第２のプロフィル２の突出部２２の下面２２ａは、図１及び図２に示すように、第１のプロフィル１の上面１ａの全面を被覆するように形成されている。これにより、第２のプロフィル２の傾倒を、第１のプロフィル１の上面１ａの全面と当接することによって支持することができ、第１のプロフィル１と第２のプロフィル２の相互間のずれを効果的に抑制することができる。特に、荷重Ｆが第２のプロフィル２の比較的高い位置に作用しても、その傾倒を抑制する効果が高い。
【００４４】
また、図２に示すように、第２のプロフィル２の突出部２２の高さ方向に沿う厚みＤ１は、当該第２のプロフィル２の厚みＤ２と同等以上とすることが好ましい。これにより、荷重Ｆを受けた際に突出部２２のみが屈曲して撓んでしまうことがなく、第１のプロフィル１と第２のプロフィル２の相互間のずれを効果的に抑制することができる。
【００４５】
なお、第１のプロフィル１の厚みＤ３は、第２のプロフィル２の厚みＤ２と同等とすることが好ましい。これにより、第１のプロフィル１の上面１ａによって、第２のプロフィル２の傾倒を効果的に支持することができる。
【００４６】
荷重Ｆから遠い側に配置される第１のプロフィル１には、図４に示すように、第２のプロフィル２側とは反対側に張り出すように倒れ止め用脚部１２を一体に設けるようにしてもよい。これによって、第１のプロフィル１それ自体の傾倒も抑制できるため、プロフィル群Ｐ全体の傾倒抑制効果をより高めることができる。
【００４７】
プロフィル群Ｐを構成するプロフィルの数は複数であればよく、図１及び図２に示す２つに限定されない。図５は、隣接する第１のプロフィル１及び第２のプロフィル２に、更に第３のプロフィル３を追加した３つのプロフィルによって一群のプロフィル群Ｐを構成した態様を示している。
【００４８】
第３のプロフィル３は、第１のプロフィル１及び第２のプロフィル２と同様、根元部３１が背面１０ｃに熱融着され、第２のプロフィル２よりも更に上方に延びている。そして、第２のプロフィル部２と同様に、上端に、第２のプロフィル２側に直角に屈曲するように突出する突出部３２を一体に有する倒Ｌ字状に形成され、第２のプロフィル２に近接又は接触して隣り合うように配置されている。
【００４９】
ここでは、第３のプロフィル３の突出部３２の下面３２ａは、第２のプロフィル２の突出部２２の下面２２ａと同様、背面１０ｃに対して平行な面として形成されており、第２のプロフィル２の上面２ａに対向し、近接又は接触するように配置されている。この態様では、この第３のプロフィル３の突出部３２の下面３２ａと第２のプロフィル２の上面２ａも、横方向の荷重Ｆが加わった際の傾倒を抑制する当接部として機能する。
【００５０】
そして、横方向の荷重Ｆが第３のプロフィル３に加わると、第２のプロフィル２と第３のプロフィル３との間で、上述した第１のプロフィル１と第２のプロフィル２との間の作用と全く同様に作用し、第３のプロフィル３が荷重Ｆを受けて傾倒しようとする力が、第２のプロフィル２の上面２ａと第３のプロフィル３の突出部３２の下面３２ａとの当接によって、第２のプロフィル２の上面２ａを背面１０ｃに向けて押圧する力に変換され、第２のプロフィル２と第３のプロフィル３の相互間のずれが抑制される。
【００５１】
また、第１のプロフィル１と第２のプロフィル２の相互間のずれも、上述したように抑制されるため、第１のプロフィル１、第２のプロフィル２及び第３のプロフィル３が共に傾倒しようとする動きが抑えられ、プロフィル群Ｐ全体の傾倒が抑制される。
【００５２】
この第１のプロフィル１、第２のプロフィル２及び第３のプロフィル３を有するプロフィル群Ｐによれば、第１のプロフィル１及び第２のプロフィル２の２つだけの場合に比べ、より大きな荷重Ｆにも対応することができる。
【００５３】
もちろん、第３のプロフィル３も、第１のプロフィル１及び第２のプロフィル２と同様、独立して背面１０ｃから突設されているため、プーリーに巻き付けられた際、先端側は容易に離間でき、ベルト本来の柔軟性を阻害することはない。
【００５４】
図５では、第３のプロフィル３の突出部３２は、第２のプロフィル２の上面２ａの略半分を被覆するように形成されているが、第２のプロフィル２の突出部２２と同様に、第２のプロフィル２の上面２ａの全体を被覆するように形成してもよい。これにより、荷重Ｆが作用する高さが高くなっても、プロフィル群Ｐの傾倒を抑制する効果を高めることができる。
【００５５】
なお、図５中の符号２ｂは、第２のプロフィル２の上面２ａにおける第３のプロフィル３側の角部に位置する部位に形成された面取り部である。
【００５６】
図６は、第３のプロフィル３を、第１のプロフィル１に隣り合うように配置した態様を示している。このように第３のプロフィル３を配置することにより、ベルト長さ方向に沿ういずれの方向から横方向の荷重が作用しても、プロフィル群Ｐの傾倒を抑制することができる。
【００５７】
すなわち、このプロフィル群Ｐに対して図示左から荷重Ｆ１が加わった場合は、第１のプロフィル１と第２のプロフィル２とによって傾倒を抑制する。また、反対に図示右から荷重Ｆ２が加わった場合は、第３のプロフィル３が傾倒しようとする力が、第２のプロフィル２の上面２ａと第３のプロフィル３の突出部３２の下面３２ａとの当接によって、第２のプロフィル２の上面２ａを背面１０ｃに向けて押圧する力に変換される。
【００５８】
第２のプロフィル２に加えられた背面１０ｃに向けて押圧する力は、突出部２２を介して第１のプロフィル１の上面１ａに伝達され、該第１のプロフィル１の上面１ａを背面１０ｃに向けて押圧することになるため、結局、第１のプロフィル１と第３のプロフィル３の相互間のずれが抑制され、プロフィル群Ｐ全体の傾倒が抑制される。従って、ベルト長さ方向に沿ういずれの方向からの荷重Ｆにも対応することができる。
【００５９】
ここでも、第３のプロフィル３の突出部３２は、第２のプロフィル２の上面２ａの略半分を被覆するように形成されているが、第２のプロフィル２の上面２ａの全体を被覆するように形成してもよいことはもちろんである。これにより、荷重Ｆが作用する高さが高くなっても、プロフィル群Ｐの傾倒を抑制することができる。
【００６０】
図７は、第１のプロフィル１、第２のプロフィル２及び第３のプロフィル３の３つによって、ベルト長さ方向に沿ういずれの方向からの荷重Ｆにも対応することができるように構成した他の態様を示している。ここでは、第１のプロフィル１を挟んで、第２のプロフィル２及び第３のプロフィル３を対称に形成している。
【００６１】
すなわち、第２のプロフィル２の突出部２２は、第１のプロフィル１の上面１ａの半分を被覆するように形成され、一方、第３のプロフィル３の突出部３２は、第１のプロフィル１の上面１ａの残りの半分を被覆するように形成されている。これにより、第２のプロフィル２の突出部２２と第３のプロフィル３の突出部３２は、第１のプロフィル１の上面１ａ上で、互いに突き合わされるように対向している。
【００６２】
このプロフィル群Ｐに対し、図示左から荷重Ｆ１が加わった場合、第１のプロフィル１と第２のプロフィル２とによって傾倒を抑制することができる。また、反対に図示右から荷重Ｆ２が加わった場合は、第１のプロフィル１と第３のプロフィル３とによって傾倒を抑制することができる。
【００６３】
従って、このプロフィル群Ｐによっても、ベルト長さ方向に沿ういずれの方向からの荷重Ｆにも対応することができる。
【００６４】
また、この態様では、第２のプロフィル２と第３のプロフィル３は同一形状のものを使用することができるため、部品の種類は実質的に２種類で済み、それだけ低コスト化を図ることができる。
【００６５】
図８は、第１のプロフィル１、第２のプロフィル２及び第３のプロフィル３の３つによって、ベルト長さ方向に沿ういずれの方向からの荷重Ｆにも対応することができるように構成した更に他の態様を示している。ここでは、第２のプロフィル２を側面視でＴ字状に形成し、その両側に対称に第１のプロフィル１及び第３のプロフィル３を配置している。
【００６６】
すなわち、第２のプロフィル２は、第１のプロフィル１に向けて突出するように形成された突出部２２の他に、第３のプロフィル３に向けて突出するように形成された突出部２３を有し、側面視でＴ字状に形成されている。また、第１のプロフィル１及び第３のプロフィル３は、それぞれ平板状又は直方体状に形成されている。そして、第２のプロフィル２の突出部２２、２３が、第１のプロフィル１の上面１ａ、第３のプロフィル３の上面３ａの全体をそれぞれ上から覆い被さるように形成されている。第２のプロフィル２の突出部２２の下面２２ａは第１のプロフィル１の上面１ａと対向し、第２のプロフィル２の突出部２３の下面２３ａは第３のプロフィル３の上面３ａと対向し、それぞれ近接又は接触するように配置されて当接部を形成している。なお、符号３ｂは、第３のプロフィル３の上面３ａに形成された面取り部である。
【００６７】
そして、図示左から荷重Ｆ１が加わった場合、第１のプロフィル１と第２のプロフィル２とによって傾倒を抑制することができる。また、反対に図示右から荷重Ｆ２が加わった場合、第２のプロフィル２と第３のプロフィル３とによって傾倒を抑制することができる。
【００６８】
従って、このプロフィル群Ｐによっても、ベルト長さ方向に沿ういずれの方向からの荷重Ｆにも対応することができる。
【００６９】
また、この態様では、第１のプロフィル１と第３のプロフィル３は同一形状のものを使用することができるため、部品の種類は実質的に２種類で済み、それだけ低コスト化を図ることができる。
【００７０】
図９は、搬送物品を押し出すために更に別途のアタッチメント４が追加で取り付けられたプロフィル群Ｐの一例を示している。
【００７１】
このプロフィル群Ｐは、図８と同様、第２のプロフィル２の両側に、第１のプロフィル１と第３のプロフィル３とが配置されている。第３のプロフィル３は、第１のプロフィル１よりも高さが低く形成されている。そして、第２のプロフィル２の一方の突出部２２は、第１のプロフィル１の上面１ａを被覆するように配置され、他方の突出部２３は、第３のプロフィル３の上面３ａを被覆するように配置されている。第３のプロフィル３は、高さが低く形成されているため、第２のプロフィル２の突出部２３は、もう一方の突出部２２よりも低い位置から突出するように形成されている。
【００７２】
アタッチメント４は平板状に形成されており、第２のプロフィル２の側面に着脱可能にねじ止めされている。アタッチメント４は第２のプロフィル２の突出部２３の上面２３ｂから該第２のプロフィル２に沿い、且つ、該第２のプロフィル２よりも上方に延びている。
【００７３】
このプロフィル群Ｐでは、アタッチメント４に加わる荷重Ｆ１、Ｆ２は、該アタッチメント４を介して第２のプロフィル２に作用するが、いずれの荷重Ｆ１、Ｆ２が作用しても、図８に示すプロフィル群Ｐと同様にして傾倒を抑制することができる。
【００７４】
ここでは第１のプロフィル１に倒れ止め用脚部１２が設けられ、荷重Ｆ１に対する傾倒抑制効果を高めているが、必ずしも設けられていなくてもよい。
【００７５】
図１０は、第１のプロフィル１と第２のプロフィル２の２つのみによって、ベルト長さ方向に沿ういずれの方向から荷重Ｆ１、Ｆ２が作用しても、プロフィル群Ｐの傾倒を抑制できるように構成された態様を示している。
【００７６】
ここでは、第１のプロフィル１の側面に、第２のプロフィル２に向けて突出する凸部１３が形成されている。また、第２のプロフィル２の側面には、第１のプロフィル１の凸部１３を収納する凹部２４が形成されている。すなわち、第１のプロフィル１と第２のプロフィル２は、凸部１３が凹部２４内に収納されることによって互いに係合している。
【００７７】
このとき、凸部１３の下面１３ｂは、凹部２４内の下側の面２４ａと対向し、近接又は接触するように配置され、凸部１３の上面１３ａは、凹部２４内の上側の面２４ｂと対向し、近接又は接触するように配置されている。これら凸部１３の下面１３ｂ、上面１３ａ、凹部２４内の下側の面２４ａ、上側の面２４ｂは、いずれも背面１０ｃに対して垂直な方向と交差し、プロフィル群Ｐの傾倒を抑制するように機能する当接部を形成している。
【００７８】
そして、図示左から荷重Ｆ１が加わった場合、第２のプロフィル２の凹部２４内の上側の面２４ｂと、第１のプロフィル１の凸部１３の上面１３ａとが当接して傾倒を抑制する。また、反対に図示右から荷重Ｆ２が加わった場合、第１のプロフィル１の凸部１３の下面１３ｂと、第２のプロフィル２の凹部２４内の下側の面２４ａとが当接して傾倒を抑制する。
【００７９】
従って、このプロフィル群Ｐでは、２つのプロフィルのみでベルト長さ方向に沿ういずれの方向からの荷重Ｆにも対応することができる。プロフィル数は最小数で済むため、それだけ低コスト化を図ることができる。
【００８０】
なお、第１のプロフィル１に凹部を設け、第２のプロフィル２に凸部を設けるようにしてもよい。また、凸部と凹部はそれぞれ複数設けるようにしてもよい。
【００８１】
図１１は、３つのプロフィルによって、ベルト長さ方向に沿ういずれの方向から荷重Ｆ１、Ｆ２が作用しても、プロフィル群Ｐの傾倒を抑制できるように構成された更に他の態様を示している。
【００８２】
ここでは、図示右から第１のプロフィル１、第２のプロフィル２、第３のプロフィル３が隣り合うように背面１０ｃに突出して形成されているが、各プロフィル１〜３相互の対向する側面に、連続する山部と谷部とが形成されている。
【００８３】
すなわち、第１のプロフィル１において、第２のプロフィル２に対向する側面には、高さ方向に沿って山部１４及び谷部１５が交互に連続して形成されている。また、第２のプロフィル２において、第１のプロフィル１に対向する側面には、高さ方向に沿って山部２５及び谷部２６が交互に連続して形成されている。
【００８４】
また、第２のプロフィル２において、第３のプロフィル３に対向する側面にも、高さ方向に沿って山部２５及び谷部２６が交互に連続して形成されている。更に、第３のプロフィル３において、第２のプロフィル２に対向する側面には、高さ方向に沿って山部３３及び谷部３４が交互に連続して形成されている。
【００８５】
これら第１のプロフィル１、第２のプロフィル２及び第３のプロフィル３は、各山部１４、２５、３３と、これに対応する各谷部１５、２６、３４とが対向し、近接又は接触して互いに係合するように配置されている。ここでは、各山部１４、２５、３３の表面又は各谷部１５、２６、３４の表面は、背面１０ｃに対して垂直な方向と略４５°の角度で交差する面とされ、各山部１４、２５、３３及び各谷部１５、２６、３４は、側面視で９０°の角度で突出又は窪むように形成されているが、具体的な角度は、各プロフィル１〜３の厚みや各山部１４、２５、３３の大きさによって適宜設定することができる。一般には側面視で４５°〜９０°程度の範囲の角度で突出又は窪むように形成とすることができる。
【００８６】
そして、図示左から荷重Ｆ１が加わった場合、第２のプロフィル２と第３のプロフィル３の互いの山部２５と谷部３４又は谷部２６と山部３３とが係合し、それらの表面同士が当接することによって、第３のプロフィル３が傾倒しようとする力が、当接面を介して第２のプロフィル２を下方向に押し付ける力に変換される。また同時に、第１のプロフィル１と第２のプロフィル２の互いの山部１４と谷部２６又は谷部１５と山部２５とが係合し、それらの表面同士が当接することによって、第２のプロフィル２が傾倒しようとする力が、当接面を介して第１のプロフィル１を下方向に押し付ける力に変換される。このため、第１のプロフィル１〜第３のプロフィル３の傾倒は抑制される。このとき、各山部１４、２５、３３又は各谷部１５、２６、３４の表面は、互いに当接して傾倒を抑制するように機能する当接部を形成している。
【００８７】
その結果、第１のプロフィル１〜第３のプロフィル３の相互間のずれが抑制され、共に傾倒しようとする動きが抑えられることにより、プロフィル群Ｐ全体の傾倒が抑制される。これにより搬送物品に対して適切な押し出し力を作用させることができる。
【００８８】
この図１１に示すプロフィル群Ｐでは、背面１０ｃ上における第２のプロフィル２の形成部位が歯部１０ａの突設部位と正反対に位置し、第１のプロフィル１と第２のプロフィル２の形成部位が、歯部１０ａ、１０ａ間と正反対に位置しているが、図１２に示すように、各プロフィル１〜３の各々を歯部１０ａの突設部位と正反対に位置するように形成してもよい。
【００８９】
以上説明したプロフィル付きベルトＢＬは、図１３に示すように、プーリー５１、５１間に亘って架け渡されることによってベルト搬送装置５を構成する。ここではプーリー５１、５１間に架け渡されたプロフィル付きベルトＢＬを２組使用し、これらを所定の間隔をおいて並列させて同方向に向けて同期駆動することによって板状長尺物５０を搬送するようにしている。
【００９０】
板状長尺物５０は、各プロフィル付きベルトＢＬ上に固定されているプロフィル群Ｐ、Ｐ間に仕切られるように載置され、このプロフィル群Ｐによって押されながら搬送される。
【００９１】
このベルト搬送装置５によれば、上述したように、プロフィル群Ｐに横方向の荷重が加わった際の各プロフィル相互間のずれを抑制し、各プロフィルの傾倒を抑制して、搬送物品に対して適切な押し出し力を作用させることができ、長期に亘って安定して搬送物品の搬送を行うことができる。
【００９２】
なお、以上説明したプロフィル付きベルトＢＬは、歯部１０ａを有する歯付きベルトを例示したが、歯部１０ａは必ずしも設けられていなくてもよい。
【００９３】
また、以上説明した各プロフィル群Ｐにおいて、傾倒を抑制するためにそれぞれ背面１０ｃに対して垂直な方向と交差する方向から互いに当接する当接部は、全て面状に接触するものを示したが、これに限定されない。
【００９４】
例えば、図１４に示すように、図１及び図２に示した第２のプロフィル２の突出部２２の下面２２ａに、第１のプロフィル１の上面１ａに向けて突出し、該上面１ａと常時当接するか、又は、該上面１ａと対向し、非接触で近接して、荷重Ｆが加わった際に互いに接触する突部２７を形成することにより、第１のプロフィル１の上面１ａと突部２７の先端で点状に接触可能な当接部を形成するようにしてもよい。また、この突部２７は、第２のプロフィル２の幅方向に亘って形成することにより、第１のプロフィル１の上面１ａと突部２７の先端で線状に接触可能な当接部を形成するようにしてもよい。
【００９５】
このような突部２７は、突出部２２の下面２２ａに複数形成してもよい。また、第２のプロフィル２の突出部２２の下面２２ａに形成することに代えて、又は、加えて、第１のプロフィル１の上面１ａに１つ又は複数形成するようにしてもよい。このような突部２７は、図４〜図１２に示した他のプロフィル群Ｐの各当接部にも同様に適用することができることはもちろんである。
【実施例】
【００９６】
（実施例１）
図２に示した形状の第１のプロフィル１と第２のプロフィル２とによって構成されるプロフィル群Ｐを用い、第２のプロフィル２側から横方向の荷重（押し付け力Ｎ）を加えたときの、先端の横方向の変位量（ｍｍ）を測定した。荷重（Ｎ）は、ベルト本体の背面から１７ｍｍ、２５ｍｍの高さでそれぞれ加えた。
【００９７】
なお、比較例１として、第２のプロフィルが突出部を有していない以外は上記同様のプロフィル群を用意し、同様に荷重（Ｎ）を加えた。
【００９８】
プロフィル群Ｐの寸法は、全高が３２ｍｍ、第１のプロフィル及び第２のプロフィルの厚み（Ｄ３、Ｄ２）がそれぞれ１０ｍｍ、突出部の厚み（Ｄ１）が１０ｍｍである。突出部を有していない比較例１では、第２のプロフィルが突出部の厚み１０ｍｍ分、第１のプロフィルよりも上方に突出した形となっている。
【００９９】
荷重（Ｎ）を１７ｍｍ高さで加えた結果を図１５に、２５ｍｍの高さで加えた結果を図１６にそれぞれ示す。
【０１００】
いずれの高さにおいても、本発明によれば荷重（Ｎ）に対する変位量（ｍｍ）が小さく抑えられていることがわかる。
【０１０１】
（実施例２）
図１１に示した形状の第１のプロフィル１、第２のプロフィル２及び第３のプロフィル３によって構成されるプロフィル群Ｐを用い、第１のプロフィル１側から横方向の荷重（Ｎ）を加えたときの、先端の横方向の変位量（ｍｍ）を測定した。荷重（Ｎ）は、ベルト本体の背面から１５ｍｍの高さで加えた。
【０１０２】
なお、比較例２として、各プロフィルを山部及び谷部を有していない平板状に形成した以外は上記同様のプロフィル群を用意し、同様に荷重（Ｎ）を加えた。
【０１０３】
プロフィル群Ｐの寸法は、全高が３２ｍｍ、各プロフィルの厚みがそれぞれ３ｍｍ（合計９ｍｍ）である。
【０１０４】
その結果を図１７に示す。
【０１０５】
本発明によれば荷重（Ｎ）に対する変位量（ｍｍ）が小さく抑えられていることがわかる。特に、比較例２では、荷重が５０Ｎを超えるようになると、各プロフィル間が相互に大きくずれてしまい、たわみ変形を生じて荷重に対する抵抗力が上がらなかったのに対し、本発明によれば、８０Ｎを越えても各プロフィルによって荷重に対して抵抗でき、傾向を抑制することができた。
【符号の説明】
【０１０６】
ＢＬ：プロフィル付きベルト
Ｐ：プロフィル群
１：第１のプロフィル
１ａ：上面（当接部）
１ｂ：面取り部
１１：根元部
１２：倒れ止め用脚部
１３：凸部
１３ａ：上面（当接部）
１３ｂ：下面（当接部）
１４：山部
１５：谷部
２：第２のプロフィル
２ａ：上面（当接部）
２ｂ：面取り部
２１：根元部
２２：突出部
２２ａ：下面（当接部）
２３：突出部
２３ａ：下面（当接部）
２３ｂ：上面
２４：凹部
２４ａ：下側の面（当接部）
２４ｂ：上側の面（当接部）
２５：山部
２６：谷部
２７：突部（当接部）
３：第３のプロフィル
３ａ：上面（当接部）
３ｂ：面取り部
３１：根元部
３２：突出部
３２ａ：下面（当接部）
３３：山部
３４：谷部
４：アタッチメント
５：ベルト搬送装置
５０：板状長尺物
５１：プーリー
１０：ベルト本体
１０ａ：歯部
１０ｂ：心線
１０ｃ：背面
【図１】
2014234283.tif 000003
【図２】
2014234283.tif 000004
【図３】
2014234283.tif 000005
【図４】
2014234283.tif 000006
【図５】
2014234283.tif 000007
【図６】
2014234283.tif 000008
【図７】
2014234283.tif 000009
【図８】
2014234283.tif 000010
【図９】
2014234283.tif 000011
【図１０】
2014234283.tif 000012
【図１１】
2014234283.tif 000013
【図１２】
2014234283.tif 000014
【図１３】
2014234283.tif 000015
【図１４】
2014234283.tif 000016
【図１５】
2014234283.tif 000017
【図１６】
2014234283.tif 000018
【図１７】
2014234283.tif 000019
【図１８】
2014234283.tif 000020
【図１９】
2014234283.tif 000021
【図２０】
2014234283.tif 000022